(57)【要約】【課題】  制御モードを確実に切り換えることができ、かつ、ユーザが制御モードを把握しやすいリモコン装置および、このリモコン装置を備える複合型の録画装置を提供する。【解決手段】  スイッチＳＷ１，ＳＷ２はモード切換スイッチである。スイッチＳＷ１，ＳＷ２がともに押されていない場合あるいはスイッチＳＷ１，ＳＷ２のいずれか一方が押されている場合、制御モードは第１のモードである。一方、スイッチＳＷ１，ＳＷ２がともに押された場合には制御モードは第２のモードである。固定部１３，１４が板を挟んで固定すると、スイッチＳＷ１，ＳＷ２の両方が押された状態になる。つまり本発明のリモコン装置は板をリモコン３の操作面に装着することによって制御モードを切り換えることができる。【選択図】        図２
2006303872.tif 000002
【特許請求の範囲】
【請求項１】
録画装置であって、
第１および第２の録画部を含む装置本体と、
前記第１の録画部の動作を制御する第１のモードと、前記第２の録画部の動作を制御する第２のモードとを制御モードとして有するリモコン装置とを備え、
前記リモコン装置は、
前記第１のモードを示す第１の情報が表示された操作面と、
前記操作面に設けられる複数の操作キーと、
前記操作面において対角線上の２隅にそれぞれ設けられ、前記制御モードを前記第１のモードと前記第２のモードとの間で切り換えるための第１および第２のモード切換キーと、
前記制御モードが前記第１のモードである場合には、前記第１の録画部の動作を制御する第１の制御信号を送信し、前記制御モードが前記第２のモードである場合には、前記第２の録画部の動作を制御する第２の制御信号を送信する送信制御部とを含み、
前記送信制御部は、前記第１および第２のモード切換キーのいずれか一方のみ押下されているか、または、前記第１および第２のモード切換キーがともに押下されていないことを検知した場合には、前記制御モードが前記第１のモードであると判定し、前記第１および第２のモード切換キーがともに押下されていることを検知した場合には、前記制御モードが前記第２のモードであると判定し、
前記リモコン装置は、
前記操作面に装着され、前記複数の操作キーを通すための複数の開口部が前記複数の操作キーに応じた位置にそれぞれ設けられ、前記第２のモードを示す第２の情報が表面に表示された表示板と、
前記表示板が前記第１、第２のモード切換キーをともに押下した状態で前記操作面上に装着されるように前記表示板を固定するための複数の固定部とをさらに含む、録画装置。
【請求項２】
第１および第２のモードを制御モードとして有するリモコン装置であって、
前記第１のモードは、第１の動作部の動作を制御する制御モードであり、前記第２のモードは、第２の動作部の動作を制御する制御モードであり、
前記リモコン装置は、
操作面と、
前記操作面に設けられる複数の操作キーと、
前記操作面に設けられ、前記制御モードを前記第１のモードと前記第２のモードとの間で切り換えるための複数のモード切換キーと、
前記制御モードが前記第１のモードである場合には、前記第１の動作部の動作を制御する第１の制御信号を送信し、前記制御モードが前記第２のモードである場合には、前記第２の動作部の動作を制御する第２の制御信号を送信する送信制御部とを備え、
前記送信制御部は、前記複数のモード切換キーの２つ以上が押下されていることを検知した場合には、前記制御モードが前記第２のモードであると判定する、リモコン装置。
【請求項３】
前記操作面には、前記第１のモードを示す第１の情報が表示され、
前記リモコン装置は、
前記操作面に装着され、前記第２のモードを示す第２の情報が表面に表示された表示板と、
前記表示板が前記第１、第２のモード切換キーをともに押下した状態で前記操作面上に装着されるように前記表示板を固定するための固定部とをさらに備える、請求項２に記載のリモコン装置。
【請求項４】
前記複数のモード切換キーの各々は、前記操作面の周辺部に設けられ、
前記第１および第２のモード切換キーは、前記操作面において対角線上の２隅にそれぞれ設けられる、請求項３に記載のリモコン装置。
【請求項５】
請求項２から４のいずれか１項に記載のリモコン装置と、
録画処理を各々行なう前記第１および第２の動作部を含む装置本体とを備える、録画装置。
【発明の詳細な説明】
【技術分野】
【０００１】
本発明はリモコン装置、および、このリモコン装置を備える録画装置に関する。
【背景技術】
【０００２】
近年、たとえばビデオカセットとＤＶＤ(Ｄｉｇｉｔａｌ  Ｖｅｒｓａｔｉｌｅ  Ｄｉｓｃ)といった、異なる複数の記録媒体に画像を記録する複数の録画部を備えた録画装置が普及しつつある。このような複合型の録画装置の動作を遠隔制御するため、一般的にリモコン装置が用いられている。録画装置に含まれる複数の録画部ごとにリモコンが必要になるとリモコンの数が多くなるので、ユーザの操作が煩雑になる。よって、複合型の録画装置に用いられるリモコンは、スイッチ等の手段を用いて制御モードを切り換えることにより各録画部を制御できるよう一般的に設計されている。
【０００３】
図８は、従来のリモコンの一例を示す外観図である。図８を参照して、リモコン１００は、たとえばビデオカセットとＤＶＤとにそれぞれ録画する２つの録画部を有する録画装置（図示せず）に用いられるリモコンである。
【０００４】
リモコン１００は制御モードを切り換えるためのキー１００Ａ，１００Ｂを備える。キー１００Ａが押下されると制御モードは第１のモードになり、録画装置に含まれるビデオカセットレコーダ（ＶＣＲ）の動作が制御される。キー１００Ｂが押下されると制御モードは第２のモードになり、録画装置に含まれるＤＶＤレコーダの動作が制御される。リモコン１００はさらに、ＶＣＲの動作指示とＤＶＤレコーダの動作指示とに共通に用いられる複数のキー１００Ｃを備える。
【０００５】
リモコン１００に示す例以外にも、従来からスイッチの切換により複合型の録画装置を制御する際の制御モードを切り換えることが可能なリモコンがある。たとえばリモコン１００のキー１００Ａ，１００Ｂに代えてスライドスイッチを含み、スライドスイッチの操作部を移動させることによって制御モードを切り換えることができるリモコンがある。
【０００６】
従来のリモコンの他の例として、カバーを開閉することにより制御モードを切り換えるリモコンがある。このリモコンの場合には、カバーを開いた状態ではリモコン本体の上面に、第１の制御モードに対応した複数の操作キーおよび制御モードを切り換えるための１つのプッシュスイッチが設けられる。一方、カバーにはプッシュスイッチを押すための突起部および第２の制御モードに応じた複数の操作キーが設けられる。
【０００７】
複数の制御モードを切り換えて複数の装置または複数の機能を制御できる１台のリモコンの従来例として、たとえば特開平４−３７１０９４号公報（特許文献１）では、１つのモード切り換えキーで複数の制御モードを切り換えることによって操作キーの数を減らすことが可能なリモコン送信器が開示される。
【０００８】
また、特開昭６３−１２９７１５号公報（特許文献２）では、異なるモードキーの操作ごとにコマンドキーの表示内容が変更される液晶タッチパネルを備えるリモコン送信器の例が開示される。
【特許文献１】特開平４−３７１０９４号公報
【特許文献２】特開昭６３−１２９７１５号公報
【発明の開示】
【発明が解決しようとする課題】
【０００９】
制御モードを切り換えることができる従来のリモコン装置においては以下に示す問題がある。
【００１０】
図８に示すリモコン１００の場合、ユーザはキー１００Ｃを押した場合にＶＣＲとＤＶＤレコーダとのうちのどちらが動作するかを把握できないため、ユーザの利便性が低下する。たとえばユーザはＶＣＲを操作するつもりでキー１００Ｃを押したとしても、ＤＶＤレコーダが反応した場合、キー１００Ａを押した上でキー１００Ｃを再度押さなければならない。
【００１１】
スライドスイッチにより制御モードを切り換えるリモコンの場合、スライドスイッチの両側に「ＶＣＲ」，「ＤＶＤ」とそれぞれ表示されていれば、ＶＣＲとＤＶＤレコーダとのうちのどちらをリモコンにより操作できるかをユーザは容易に把握できる。しかし、スライドスイッチの操作部を頻繁に移動させた場合、たとえば接点の磨耗によってスイッチが故障しやすくなるのでリモコンの寿命が短くなるという問題が生じる。
【００１２】
カバーを開閉させ、突起部によってプッシュスイッチを押すことにより制御モードを切り換えるリモコンの場合には、スライドスイッチに比べてプッシュスイッチは故障しにくいのでスイッチに起因して寿命が短くなるという問題は生じにくい。しかし、たとえばヒンジの破損等によりカバーが正しく閉まらない場合、プッシュスイッチの押し方が不十分になるので制御モードを切り換えることができないという問題が生じる可能性がある。
【００１３】
本発明の目的は、制御モードを確実に切り換えることができ、かつ、ユーザが制御モードを把握しやすいリモコン装置、およびこのリモコン装置を備える複合型の録画装置を提供することである。
【課題を解決するための手段】
【００１４】
本発明は要約すれば、録画装置であって、第１および第２の録画部を含む装置本体と、第１の録画部の動作を制御する第１のモードと、第２の録画部の動作を制御する第２のモードとを制御モードとして有するリモコン装置とを備える。リモコン装置は、第１のモードを示す第１の情報が表示された操作面と、操作面に設けられる複数の操作キーと、操作面において対角線上の２隅にそれぞれ設けられ、制御モードを第１のモードと第２のモードとの間で切り換えるための第１および第２のモード切換キーと、制御モードが第１のモードである場合には、第１の録画部の動作を制御する第１の制御信号を送信し、制御モードが第２のモードである場合には、第２の録画部の動作を制御する第２の制御信号を送信する送信制御部とを含む。送信制御部は、第１および第２のモード切換キーのいずれか一方のみ押下されているか、または、第１および第２のモード切換キーがともに押下されていないことを検知した場合には、制御モードが第１のモードであると判定し、第１および第２のモード切換キーがともに押下されていることを検知した場合には、制御モードが第２のモードであると判定する。リモコン装置は、操作面に装着され、複数の操作キーを通すための複数の開口部が複数の操作キーに応じた位置にそれぞれ設けられ、第２のモードを示す第２の情報が表面に表示された表示板と、表示板が第１、第２のモード切換キーをともに押下した状態で操作面上に装着されるように表示板を固定するための複数の固定部とをさらに含む。
【００１５】
本発明の他の局面に従うと、第１および第２のモードを制御モードとして有するリモコン装置である。第１のモードは、第１の動作部の動作を制御する制御モードであり、第２のモードは、第２の動作部の動作を制御する制御モードである。リモコン装置は、操作面と、操作面に設けられる複数の操作キーと、操作面に設けられ、制御モードを第１のモードと第２のモードとの間で切り換えるための複数のモード切換キーと、制御モードが第１のモードである場合には、第１の動作部の動作を制御する第１の制御信号を送信し、制御モードが第２のモードである場合には、第２の動作部の動作を制御する第２の制御信号を送信する送信制御部とを備える。送信制御部は、複数のモード切換キーの２つ以上が押下されていることを検知した場合には、制御モードが第２のモードであると判定する。
【００１６】
好ましくは、操作面には、第１のモードを示す第１の情報が表示される。リモコン装置は、操作面に装着され、第２のモードを示す第２の情報が表面に表示された表示板と、表示板が第１、第２のモード切換キーをともに押下した状態で操作面上に装着されるように表示板を固定するための固定部とをさらに備える。
【００１７】
より好ましくは、複数のモード切換キーの各々は、操作面の周辺部に設けられ、第１および第２のモード切換キーは、操作面において対角線上の２隅にそれぞれ設けられる。
【００１８】
さらに好ましくは、録画装置は、上述のリモコン装置と、録画処理を各々行なう第１および第２の動作部を含む装置本体とを備える。
【発明の効果】
【００１９】
本発明のリモコン装置によれば、操作面上の２箇所に制御モードを切り換えるためのスイッチが各々設けられる。本発明のリモコン装置は２つのモード切換キーがともに押下されたことにより制御モードが切り換わるので誤動作を防ぐことができる。
【００２０】
また、本発明のリモコン装置によれば、リモコン装置の操作面上に第１の制御モードを示す情報が表示され、第２の制御モードを示す情報を示す表示板をリモコン装置の操作面に装着して固定することにより２つのモード切換キーがともに押されるので、ユーザは表示板をリモコン装置に装着することで制御モードを容易に把握でき、かつ、録画装置に対して所望の操作を行なうことができる。
【発明を実施するための最良の形態】
【００２１】
以下において、本発明の実施の形態について図面を参照して詳しく説明する。なお、図中同一符号は同一または相当部分を示す。
【００２２】
図１は、本発明のリモコン装置および録画装置を示す概略図である。図１を参照して、録画装置１は装置本体２とリモコン３とを備える。装置本体２にはリモコン３から送られる信号ＲＣ１，ＲＣ２に応じてそれぞれ動作する録画部４と録画部５とを含む。信号ＲＣ１，ＲＣ２のそれぞれは第１および第２の制御信号である。たとえば録画部４はＶＣＲであり、録画部５はＤＶＤレコーダである。なお、以後の説明において、録画部４の動作を制御するリモコン３の制御モードを「第１のモード」とし、録画部５の動作を制御するリモコン３の制御モードを「第２のモード」とする。
【００２３】
装置本体２は、さらに再生装置１０に送信する映像音声信号を録画部４から出力するか録画部５から出力するかを切り換える出力切換部６と、リモコン３から送信された赤外線光の信号ＲＣ１（または信号ＲＣ２）を受信し、所定の電気信号に変換するリモコン受信部７とを備える。
【００２４】
図２は、図１のリモコン３の外観の一例を示す図である。図２を参照して、リモコン３は操作面１１上に設けられる複数の操作キー１２を含む。操作面１１あるいは操作キー１２の表面には、ユーザが各操作キー１２を押したことに応じて録画部４に送られる指示を示す動作指示名Ｎ１が表示されている。ユーザは動作指示名Ｎ１を確認することにより、リモコン３の制御モードが第１のモードであることを把握できる。なお、操作面１１には動作指示名Ｎ１以外に、第１のモードを示す情報として、たとえば「ＶＣＲ」という文字が表示されていてもよい。
【００２５】
リモコン３はさらにモード切換キー１５Ａ，１５Ｂを含む。モード切換キー１５Ａ，１５Ｂがともに押されていない場合、あるいはモード切換キー１５Ａ，１５Ｂのいずれか一方が押されている場合、制御モードは第１のモードになる。一方、モード切換キー１５Ａ，１５Ｂがともに押下された場合、制御モードは第２のモードになる。
【００２６】
リモコン３は操作面１１上に設置される板を固定するための固定部１３，１４を含む。固定部１３，１４は具体的にはフックである。固定部１３，１４が板を挟んで固定するとモード切換キー１５Ａ，１５Ｂの両方が押下された状態になる。つまり本発明のリモコン装置は板をリモコン３の操作面に装着することによって制御モードを切り換えることができる。
【００２７】
モード切換キー１５Ａ，１５Ｂは接点がカーボンにより構成されるプッシュスイッチ（カーボンスイッチ）であることが長寿命および低コストの点から好ましい。また、モード切換キー１５Ａ，１５Ｂはできるだけ互いの距離を離して設けられる。具体的にはモード切換キー１５Ａ，１５Ｂは操作面１１においてほぼ対角線上の２隅となる位置にそれぞれ設けられる。固定部１３，１４によって板が操作面１１上に確実に設置された状態でモード切換キー１５Ａ，１５Ｂがともに押されるので、リモコンの誤作動を防ぐことができる。なお、固定部は板を固定するために必要な数だけ設けられる。よって固定部は１つでもよく、また、３つ以上であってもよい。
【００２８】
図３は、図１のリモコン３に装着される板を示す図である。図３を参照して、表示板２１は操作面１１とほぼ同じ大きさである。また、表示板２１には図２の複数の操作キー１２にそれぞれ対応する位置に複数の操作キー１２を通すための複数の開口部２２が設けられる。さらに、開口部２２の周辺にはユーザが各操作キー１２を押したことに応じて録画部５に送られる指示を示す動作指示名Ｎ２が記されている。よってユーザは表示板２１をリモコン３に装着した際にリモコンの制御モードを第２のモードに切り換えることができ、かつ、操作キー１２を押した場合に録画部５でどのような動作が行なわれるかを把握できる。なお、表示板２１には、動作指示名Ｎ２以外に第２のモードを表示する情報として、たとえば「ＤＶＤ」等の文字が表示されていてもよい。
【００２９】
図３に示す表示板２１は開口部２２が設けられた構成を有するが、第２のモードを表示し、かつ、操作面に設置された状態でモード切換キー１５Ａ，１５Ｂをともに押すことができるのであれば、別の構成を有していてもよい。たとえば表示板２１は透明なフィルムにより構成され、開口部が設けられていなくてもよい。
【００３０】
図４は、図１のリモコン３のブロック図である。図４を参照して、リモコン３はキー入力部３１、送信制御部３２、およびモード切換キー１５Ａ，１５Ｂを備える。ユーザが図２の操作キー１２を押した場合、ユーザが押下した操作キーを示す情報がキー入力部３１から送信制御部３２に入力される。送信制御部３２は制御モードが第１のモードか第２のモードかを判定し、ユーザが押下した操作キーの情報に応じた指示（キーコード）を信号ＲＣ１または信号ＲＣ２として送信する。
【００３１】
送信制御部３２はモード切換部３３、制御部３４、および送信部３５を含む。モード切換部３３はモード切換キー１５Ａ，１５Ｂの各々が押下されたか否かに応じて、制御モードが第１のモードか第２のモードかを示す信号ＳＩＧを制御部３４に送信する。
【００３２】
モード切換キー１５Ａ，１５Ｂの各々は、表示板２１によって押されている場合にはＨレベルの信号を出力し、押されていない状態ではＬレベルの信号を出力する。モード切換部３３はたとえばモード切換キー１５Ａ，１５Ｂの各々の出力を受けて論理積を演算するＡＮＤ回路である。ＡＮＤ回路から送られる信号ＳＩＧのレベルがＬレベルであれば制御モードが第１のモードであることを示し、信号ＳＩＧのレベルがＨレベルであれば制御モードが第２のモードであることを示す。
【００３３】
制御部３４は、キー入力部３１から入力された操作キーの情報、および信号ＳＩＧに応じて、キーコードを送信部３５に与える。送信部３５は赤外光を発するＬＥＤ（Ｌｉｇｈｔ  Ｅｍｉｔｔｉｎｇ  Ｄｉｏｄｅ）を備える。送信部３５は受信したキーコードに応じて赤外光（リモコン信号）を変調し、図１の装置本体２に信号ＲＣ１または信号ＲＣ２を送信する。
【００３４】
図５は、図４の制御部３４の処理を示すフローチャートである。図５を参照して処理が開始されると、まずステップＳ１では、制御部３４はキー入力部３１からユーザが押下した操作キー１２の情報を受信する。
【００３５】
次にステップＳ２では、制御部３４はモード切換部３３から送られる信号ＳＩＧに基づいて制御モードが第１のモードか第２のモードかを判定する。信号ＳＩＧのレベルがＬレベルである場合、つまり制御モードが第１のモードである場合（ステップＳ２においてＹＥＳ）、ステップＳ３において、制御部３４は第１のモードに応じたキーコードを送信部３５に送信する。
【００３６】
一方、ステップＳ２において信号ＳＩＧのレベルがＨレベルである場合、つまり制御モードが第２のモードである場合（ステップＳ２においてＮＯ）、ステップＳ４において制御部３４は第２のモードに応じたキーコードを送信部３５に対して送信する。
【００３７】
なお、リモコン３に設けられるモード切換キーの個数は２個に限定されるものではなく３個以上であってもよい。以下、本発明のリモコン装置の変形例について説明する。
【００３８】
図６は、本発明のリモコン装置の変形例を示す図である。図６を参照してリモコン３Ａは、モード切換キー１５Ｃ，１５Ｄをさらに備える点において図２のリモコン３と異なる。リモコン３Ａの他の部分の構成はリモコン３と同様であるので以後の説明は繰り返さない。モード切換キー１５Ａ〜１５Ｄは操作面１１の４隅にそれぞれ設けられる。
【００３９】
リモコン３Ａは表示板２１の装着によってモード切換キー１５Ａ〜１５Ｄのうちの２つ以上のキーが押下された場合に、制御モードを第１のモードから第２のモードに切り換える。押下されたモード切換キーの数が０または１である場合には、制御モードは第１のモードになる。４つのモード切換キーのうち少なくとも２つのキーが押下されていれば制御モードを切り換えることができるので、リモコン３Ａはモード切換キー１５Ａ〜１５Ｄのいずれか１つが故障した場合でも確実に制御モードを切り換えることができる。
【００４０】
図７は、図６のリモコン３Ａのブロック図である。図７を参照してリモコン３Ａはモード切換キー１５Ｃ，１５Ｄをさらに備える点および送信制御部３２に代えて３２Ａを備える点において図４のリモコン３と異なる。リモコン３Ａの他の部分の構成はリモコン３と同様であるので以後の説明は繰り返さない。
【００４１】
送信制御部３２Ａはモード切換部３３に代えてモード切換部３３Ａを含む点において送信制御部３２と異なるが、他の部分の構成については送信制御部３２と同様であるので以後の説明は繰り返さない。モード切換部３３Ａはモード切換キー１５Ａ〜１５Ｄのうちのいずれか２つが押下されたことに応じて制御部３４に送る信号ＳＩＧのレベルを切り換える。よってモード切換キー１５Ａ〜１５Ｄのいずれか１つが故障した場合でも確実に制御モードを切り換えることができるので、リモコンの寿命が長くなる。なお、制御部３４の処理を示すフローチャートは図５に示すフローチャートと同様であるので以後の説明は繰り返さない。
【００４２】
なお、本発明のリモコン装置の用途は録画装置の動作の制御に限定されず、２つの動作部が装置本体に含まれる複合型電子機器に適用が可能である。たとえばテレビとビデオとが一体化された複合型映像音響装置にも本発明のリモコン装置は適用が可能である。
【００４３】
以上のように本発明の実施の形態によれば、リモコンの操作面上の２箇所にそれぞれ設けられる２つのモード切換キーを操作面に装着される表示板が押下することにより制御モードが切り換わるので、確実に制御モードを切り換えることができる。
【００４４】
また、本発明の実施の形態によれば、リモコン装置の操作面上に第１のモードを示す情報が表示され、表示板に第２のモードを示す情報が記載されているので、ユーザによる制御モードの視認性が高くなる。
【００４５】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【００４６】
【図１】本発明のリモコン装置および録画装置を示す概略図である。
【図２】図１のリモコン３の外観の一例を示す図である
【図３】図１のリモコン３に装着される板を示す図である。
【図４】図１のリモコン３のブロック図である。
【図５】図４の制御部３４の処理を示すフローチャートである。
【図６】本発明のリモコン装置の変形例を示す図である
【図７】図６のリモコン３Ａのブロック図である。
【図８】従来のリモコンの一例を示す外観図である。
【符号の説明】
【００４７】
１  録画装置、２  装置本体、３，３Ａ，１００  リモコン、４，５  録画部、６  出力切換部、７  リモコン受信部、１０  再生装置、１１  操作面、１２  操作キー、１３，１４  固定部、２１  表示板、２２  開口部、３１  キー入力部、３２  送信制御部、３３，３３Ａ  モード切換部、３４  制御部、３５  送信部、１００Ａ，１００Ｂ，１００Ｃ  キー、Ｓ１〜Ｓ４  ステップ、１５Ａ〜１５Ｄ  モード切換キー。
【図１】
2006303872.tif 000003
【図２】
2006303872.tif 000004
【図３】
2006303872.tif 000005
【図４】
2006303872.tif 000006
【図５】
2006303872.tif 000007
【図６】
2006303872.tif 000008
【図７】
2006303872.tif 000009
【図８】
2006303872.tif 000010